(57)【要約】  【課題】  スタンプラリーなどに適用できる柔軟な構成のネットワークを容易に構築でき、維持管理におけるメンテナンス性とコスト性に優れた携帯端末を用いた楽曲配信システムを提供する。  【解決手段】  所定の情報拠点毎に配置された情報記録メディア１１と、携帯端末１２本体に設けられ情報記録メディア１１に記憶された情報データを非接触的に読み取る情報データ読取部１３と、取得された情報データから所定の編集プログラムに基づいて複数の楽曲データを結合する楽曲制御部１４と、を有するように楽曲配信システム１０を構成する。【選択図】  図１
2007025024.tif 000002
【特許請求の範囲】
【請求項１】
それぞれの情報拠点に対応した識別データや楽曲データなどの情報データを保持する情報記録メディアから非接触的に前記情報データを読み取る情報データ読取部と、取得される情報データから所定の編集プログラムに基づいて複数の楽曲データを結合して完成させる楽曲制御部と、を有することを特徴とする携帯端末。
【請求項２】
前記情報拠点がスタンプラリーの各通過ポイントであり、前記携帯端末の情報データ読取部から取得される通過ポイントＩＤの規定順序に従って前記楽曲データが蓄積されたときに、楽曲データが完成するようにしたことを特徴とする請求項１記載の携帯端末。
【請求項３】
前記情報拠点毎に配置された情報記録メディアには、分割された特定楽曲の初めのデータが１種類及び、他の楽曲データの初めのデータを除く全てのデータが記憶され、前記情報データ読取部を介して取得される前記情報拠点のＩＤデータに基づいてダウンロード履歴データを更新記憶して、最終的に分割されたデータが全て受信されたことを検知してその情報拠点の出発点によって最終的に完成される楽曲データがそれぞれ異なるようにしたことを特徴とする請求項１又は２記載の携帯端末。
【請求項４】
前記情報記録メディアがＩＣタグや光学読み取り可能な二次元コードが印刷された情報カードであリ、前記情報データ読取部が携帯端末本体に設けられたＩＣタグ読取部や撮像部であることを特徴とする請求項１〜３の内いずれか１項に記載の携帯端末。
【請求項５】
前記携帯端末が携帯電話機であり、複数の楽曲データが結合された完成データをその着信メロディとして設定することを特徴とする請求項１〜４の内いずれか１項に記載の携帯端末。
【請求項６】
請求項１〜５の内いずれか１項に記載の携帯端末の情報データ読取部を介して、それぞれの情報拠点に対応して配置された情報記録メディアからその識別データや楽曲データなどの情報データを非接触的に読み取リ、この読み取った情報データに基づいてインターネットを介して前記携帯端末に接続されるサーバコンピュータであって、
前記携帯端末を介して受信される前記情報データ及びそのアクセス履歴に基づいてその接続した携帯端末に所定の楽曲データをダウンロードするプログラムがその記憶部に格納されていることを特徴とするサーバコンピュータ。
【請求項７】
所定の情報拠点毎に配置されそれぞれの情報拠点に対応した識別データや楽曲データなどの情報データを保持する情報記録メディアと、
前記情報記録メディアに記憶された情報データを非接触的に読み取る情報データ読取部及び、前記情報データ読取部から取得される情報データに基づいてインターネット上のサーバサイトに接続する通信制御部とを備えた携帯端末と、
前記携帯端末を介して受信される前記情報データ及びそのアクセス履歴に基づいてその接続した携帯端末に所定の楽曲データをダウンロードするサーバコンピュータと、を有することを特徴とする携帯端末を用いた楽曲配信システム。
【発明の詳細な説明】
【技術分野】
【０００１】
本発明は、鉄道の駅舎や、その改札口、スタンプラリーの通過ポイントなどの情報拠点毎に配置された情報データを収集することのできる携帯端末及び、サーバコンピュータ、楽曲配信システムに関する。
【背景技術】
【０００２】
従来、携帯型情報端末を、固定して設置された読取り装置に挿入することにより契約内容などの情報データを読取り、システム管理装置はこの読み取り装置により取得された契約内容に基づいて各種情報を取出して携帯型情報端末に各種情報の送信を行うようにしたデータ配信システムが知られている。これにより、ユーザは携帯型情報端末を操作して必要な情報を入手するようにしていた。このような携帯型情報端末を用いた音楽情報や映像情報などの情報データの収集に関連して、例えば以下のような技術のものが知られている。
【０００３】
特許文献１には、情報記憶手段および情報表示手段とを有する携帯型端末と、各種情報を情報データとして蓄積した情報蓄積装置と、所定の配信場所に設置され前記携帯型端末に向けて分割データを送信する複数の情報送信装置と、該情報蓄積装置から前記情報データの各分割データを前記各情報送信装置に分配するサーバ装置と、を具備する情報配信システムが記載されている。すなわち、図７に示されるように情報配信システム３０は、各ポイント地点にインターネット３１に接続された複数の情報送信装置３２や情報送信端末３３をそれぞれ配置して、サーバ装置３４や情報蓄積装置３５を介して分割されたデータを携帯型端末３６に送信するようにしたものである。
【０００４】
特許文献２には取得された情報データを統合する技術に関連して、独立して存在する映像、音声及びテキスト関連の各データファイルを、それぞれのファイルの切り分け位置及びそれぞれのファイル相互の再生タイミングを規定する制御データを付加した統合ファイルとして記録媒体に記録し、制御データに含まれる再生タイミング情報を参照して映像情報、テキスト関連情報及び音声情報を再生するようにしたデータファイルの統合管理方法が記載されている。
【特許文献１】特開２００１−１６２０１号公報
【特許文献２】特開平７−３１９７５１号公報
【発明の開示】
【発明が解決しようとする課題】
【０００５】
しかしながら、前記従来の携帯型情報端末を用いたシステムのものは、携帯型端末に対して情報データのやりとりするための精密で高価な情報送信装置を主要なポイント毎に多数設置しておく必要があり、大規模なネットワークを維持管理するためにはメンテナンス面やコスト面での負担が極めて大きくなるという問題点があった。
【０００６】
特に、特許文献１に記載の駅の改札口などに固定配置された情報送信装置３２からサーバ装置３３を介して携帯型端末３６にデータを送信するようにした情報配信システム３０では、このようなシステムを運営するために、駅舎などのポイント地点毎に精密で煩雑なメンテナンスの必要な情報送信装置３２を多数配置する必要があった。したがって、屋外などの広範囲なエリアで実施されるスタンプラリーや、日によってイベント内容が変わるような万博会場や大規模商業施設などにおける情報の配信システムとしてはその柔軟な設定や運営が困難であるという課題があった。
【０００７】
また、特許文献２に記載の複数のデータファイルを統合して音楽情報などを再生するようにしたデータファイルの統合管理方法では、それぞれのファイルの切り分け位置及びそれぞれのファイル相互の再生タイミングを規定するための制御データが分割されたファイル毎に必須である。このため、種々の通過ポイント地点毎に情報データが更新されて配置されるようなスタンプラリーなどにおける情報データの配信に際して、そのイベント毎に変更されるデータ入力に要する準備作業が煩雑で容易に適用できないという課題があった。
【０００８】
本発明は前記従来の課題を解決するためになされたもので、携帯型情報端末に対して情報データのやりとりするための精密で高価な情報送信装置を必要とせず、スタンプラリーなどに適用できる柔軟な構成のネットワークを容易に構築できる携帯端末を提供するとともに、維持管理におけるメンテナンス性とコスト性に優れたサーバコンピュータ及び楽曲配信システムを提供することを目的とする。
【課題を解決するための手段】
【０００９】
（１）本発明の携帯端末は、それぞれの情報拠点に対応した識別データや楽曲データなどの情報データを保持する情報記録メディアから非接触的に前記情報データを読み取る情報データ読取部と、取得される情報データから所定の編集プログラムに基づいて複数の楽曲データを結合して完成させる楽曲制御部と、を有することを特徴とする。
【００１０】
（２）本発明の携帯端末は、前記（１）において、前記情報拠点がスタンプラリーの各通過ポイントであり、前記携帯端末の情報データ読取部から取得される通過ポイントＩＤの規定順序に従って前記楽曲データが蓄積されたときに、楽曲データが完成するようにしたことにも特徴を有している。
【００１１】
（３）本発明の携帯端末は、前記（１）又は（２）において、前記情報拠点毎に配置された情報記録メディアには、分割された特定楽曲の初めのデータが１種類及び、他の楽曲データの初めのデータを除く全てのデータが記憶され、前記情報データ読取部を介して取得される前記情報拠点のＩＤデータに基づいてダウンロード履歴データを更新記憶して、最終的に分割されたデータが全て受信されたことを検知してその情報拠点の出発点によって最終的に完成される楽曲データがそれぞれ異なるようにしたことにも特徴を有している。
【００１２】
（４）本発明の携帯端末は、前記（１）〜（３）において、前記情報記録メディアがＩＣタグや光学読み取り可能な二次元コードが印刷された情報カードであリ、前記情報データ読取部が携帯端末本体に設けられたＩＣタグ読取部や撮像部であることにも特徴を有している末。
【００１３】
（５）本発明の携帯端末は、前記（１）〜（４）において、前記携帯端末が携帯電話機であり、複数の楽曲データが結合された完成データをその着信メロディとして設定することにも特徴を有する。
【００１４】
（６）本発明のサーバコンピュータは、携帯端末の情報データ読取部を介して、それぞれの情報拠点に対応して配置された情報記録メディアからその識別データや楽曲データなどの情報データを非接触的に読み取リ、この読み取った情報データに基づいてインターネットを介して前記携帯端末に接続されるサーバコンピュータであって、前記携帯端末を介して受信される前記情報データ及びそのアクセス履歴に基づいてその接続した携帯端末に所定の楽曲データをダウンロードするプログラムがその記憶部に格納されていることを特徴とする。
【００１５】
（７）本発明の楽曲配信システムは、所定の情報拠点毎に配置されそれぞれの情報拠点に対応した識別データや楽曲データなどの情報データを保持する情報記録メディアと、前記情報記録メディアに記憶された情報データを非接触的に読み取る情報データ読取部及び、前記情報データ読取部から取得される情報データに基づいてインターネット上のサーバサイトに接続する通信制御部とを備えた携帯端末と、前記携帯端末を介して受信される前記情報データ及びそのアクセス履歴に基づいてその接続した携帯端末に所定の楽曲データをダウンロードするサーバコンピュータと、を有することを特徴とする。
【発明の効果】
【００１６】
本発明の携帯端末によれば、所定の情報拠点毎に配置された情報記録メディアから非接触的に情報データを読み取って、この情報データから所定の編集プログラムに基づいて複数の楽曲データを結合して完成させる楽曲制御部を有するので、携帯端末及び管理システムのサーバコンピュータに対して情報データのやりとりするための精密で高価な情報送信装置を必要とせず、情報記録メディアを情報拠点毎に配置しておくだけでスタンプラリーなどに適用できる柔軟な構成のネットワークを容易に構築することができる。こうして、情報記録メディアが配置された情報拠点を巡回して、携帯電話機などの携帯端末を用いて楽曲データを拾い集めるなどのキャンペーンを展開できる。
【００１７】
本発明のサーバコンピュータによれば、情報拠点毎に配置された情報記録メディアから非接触的に読み取られる情報データに基づいて接続された携帯端末に、その情報データ及びそのアクセス履歴により所定の楽曲データをダウンロードできるので、携帯端末や情報記録メディア自体に大量の情報データを記録保持しておく必要がなく、大容量の楽曲データを扱うことができ、しかも、維持管理におけるメンテナンス性とコスト性、安全性にも優れている。
【００１８】
本発明の楽曲配信システムによれば、所定の情報拠点毎に配置された情報記録メディアから非接触的に読み取られる情報データに基づいてサーバサイトに接続して、その情報データ及びそのアクセス履歴により所定の楽曲データをサーバコンピュータからダウンロードするので、携帯型情報端末及びサーバコンピュータに対して直接的に情報データのやりとりするための情報送信装置を情報拠点毎にそれぞれ設置しておく必要がなく、しかも必要に応じて大容量のデータをサーバコンピュータから携帯電話機に随時ダウンロードすることができる。こうして、スタンプラリーなどに適用できる柔軟な構成のネットワークを容易に構築することができ、維持管理におけるメンテナンス性とコスト性に優れた楽曲配信システムを提供することができる。
【発明を実施するための最良の形態】
【００１９】
本実施の形態の携帯端末は、それぞれの情報拠点に対応した識別データや楽曲データなどの情報データを保持する情報記録メディアから非接触的に前記情報データを読み取る情報データ読取部と、取得される情報データから所定の編集プログラムに基づいて複数の楽曲データを結合して完成させる楽曲制御部と、を有するように構成されている。これによって、情報記録メディアを情報拠点毎に配置して、これを携帯端末で収集して回るようなスタンプラリーなどに適用することができる。こうして柔軟な構成のネットワークを容易に構築することができ、メンテナンス性とコスト性に優れたものとすることができる。
【００２０】
情報記録メディアは、駅の改札口や各種商業施設のイベント会場、スタンプラリーの通過ポイントなどの情報拠点毎に配置されるＩＣタグや二次元コードが印刷されたカード、情報端末装置などであって、それぞれの情報拠点に対応した識別データや楽曲データなどの情報データを保持している。これらの情報記録メディアは、例えばスタンプラリーにおけるキャラクタグッズなどに吊り下げられたり、ポスターなどの広告物に貼付されたりして、それぞれのポイント地点に配置することができる。
【００２１】
情報データ読取部は、携帯電話機本体に設けられる。情報データ読取部を、それぞれの情報拠点に配置されたＩＣタグや二次元コードなどの情報記録メディアに近接させることによって非接触的にそのデータを読み取ることができる。携帯電話機に内蔵される情報データ読取部は、情報記録メディアがＩＣタグの場合はＩＣタグリーダが、二次元コードの場合はデジタルカメラなどが適用される。
【００２２】
楽曲制御部は携帯電話機本体に設けられ、情報データ読取部から取得される情報データから所定の編集プログラムに基づいて取得された複数の楽曲データを結合再現して着信メロディなどとして設定する機能を有した制御回路である。制御回路はＣＰＵやメモリ、スピーカなどを制御するための各種インターフェイスを備えており、携帯電話機の通信及び通話を制御するための通信制御部とは別体もしくはその機能を兼用するように構成することができる。楽曲制御部にロードされている編集プログラムは、例えばＪａｖａ(登録商標)スクリプトなどで記述され、情報記録メディアの識別コードやそのアクセス順などに従って、すべての情報データが取得されたのを判定して、楽曲データを結合することができるようになっている。
【００２３】
スタンプラリーなどの場合は、どのポイント地点を出発点にしても良い。例えば、その出発点によって受信する楽曲データが異なるものになるようにして、最終的に分割されたデータが全て受信されたことをプログラムを実行して検知すると、その結合された楽曲データが異なる楽曲であるように設定することができる。具体的には、各情報記録メディアには、分割された楽曲の初めのデータが一種類だけ記憶されており、更に、他種類の楽曲データにおける初めのデータを除く全てのデータが記憶されるようにしてもよい。
【００２４】
また、本実施の形態の携帯端末は、前記情報拠点がスタンプラリーの各通過ポイントであり、前記携帯端末の情報データ読取部から取得される通過ポイントＩＤの規定順序に従って前記楽曲データが蓄積されたときに、楽曲データが完成するようにすることもできる。これによって、スタンプラリーなどにおける達成感を高めることができ、スタンプラリーに遊戯性、ゲーム性に優れた演出効果を付与することができる。
【００２５】
本実施の形態の携帯端末は、前記情報拠点毎に配置された情報記録メディアには、分割された特定楽曲の初めのデータが１種類及び、他の楽曲データの初めのデータを除く全てのデータが記憶され、前記情報データ読取部を介して取得される前記情報拠点のＩＤデータに基づいてダウンロード履歴データを更新記憶して、最終的に分割されたデータが全て受信されたことを検知してその情報拠点の出発点によって最終的に完成される楽曲データがそれぞれ異なるようにすることもできる。これによって、情報記憶メディアがその通過ポイント毎に配置されたスタンプラリーなどに携帯端末を適用して、その参加者はダウンロードするまでどの楽曲データが得られるかが判らないようにすることができる。さらに、予め、そのスタンプラリーを回る順序によって得られる楽曲データ種類を公表することによって、多様な面白さを提供することもできる。スタンプラリーはどの駅を出発点にしても良く、その出発点によって受信する楽曲データが異なるものになるようにして、最終的に分割されたデータが全て受信されたことをプログラムを実行して検知すると、その結合された楽曲データが異なる楽曲であるように設定することができる。
【００２６】
さらに本実施の形態の携帯端末は、前記情報記録メディアがＩＣタグや光学読み取り可能な二次元コードが印刷された情報カードであリ、前記情報データ読取部が携帯端末本体に設けられたＩＣタグ読取部や撮像部であるようにすることもできる。これによって、比較的安価な情報記録メディアを用いて、スタンプラリーなどのネットワークを簡単に構成できる。特に二次元コードが印刷された情報カードを屋外などのポイント地点に吊り下げて配置するとともに、携帯電話機に付設された既存のデジタルカメラなどの撮像部を用いて情報データを取得する場合には、広範囲な領域をカバーする楽曲配信ネットワークを容易かつ経済的に構築できる。
【００２７】
本実施の形態の携帯端末は、前記携帯端末が携帯電話機であり、複数の楽曲データが結合された完成データをその着信メロディとして設定することもできる。これによって、着信メロディの変化を楽しむことができるとともに、携帯電話機を用いたスタンプラリーにおけるゲーム性と興味性をさらに高めることができる。
【００２８】
本実施の形態のサーバコンピュータは、携帯端末の情報データ読取部を介して、それぞれの情報拠点に対応して配置された情報記録メディアからその識別データや楽曲データなどの情報データを非接触的に読み取リ、この読み取った情報データに基づいてインターネットを介して前記携帯端末に接続されるサーバコンピュータであって、前記携帯端末を介して受信される前記情報データ及びそのアクセス履歴に基づいてその接続した携帯端末に所定の楽曲データをダウンロードするプログラムがその記憶部に格納されていることを特徴とする。これによって、携帯端末や情報記録メディア自体に大量の情報データを記録保持しておく必要がなく、大容量の楽曲データを扱うことができ、しかも、維持管理におけるメンテナンス性とコスト性、安全性にも優れたサーバとすることができる。
携帯端末を介して接続されるサーバコンピュータは、インターネット上に接続されて所定のアドレスを有してシステム全体を管理するためのコンピュータであり、そのメモリに所定の楽曲データを保持するとともに、携帯電話機からのアクセス履歴や受信した情報データに基づいて分割された楽曲データや統合再生した楽曲データを携帯電話機などの携帯端末に送信する機能を有している。
【００２９】
本実施の形態の楽曲配信システムは、所定の情報拠点毎に配置されそれぞれの情報拠点に対応した識別データや楽曲データなどの情報データを保持するＩＣタグや二次元コード、磁気テープなどの情報記録メディアと、携帯電話機本体に設けられ前記情報記録メディアに記憶された情報データを非接触的に読み取るための情報データ読取部と、前記携帯電話機本体に設けられ前記情報データ読取部から取得される情報データに基づいてインターネット上のサーバサイトに接続する通信制御部と、インターネットを介して受信される前記情報データ及びそのアクセス履歴に基づいてその接続した携帯電話機本体に所定の楽曲データをダウンロードするサーバコンピュータと、を有するように構成できる。これによって、携帯型情報端末及びサーバコンピュータに接続する機能を有した情報送信装置を情報拠点毎に設置しておく必要がなく、安価なＩＣチップや二次元コードが印刷されたカードなどを情報拠点に配置しておくだけでシステムを構成できる。さらに大容量のデータを、サーバコンピュータを介して携帯電話機などの携帯端末に随時ダウンロードできる。
【００３０】
（実施の形態１）
図１は実施の形態１に係る携帯端末を用いた楽曲配信システムの全体構成を示す説明図であり、図２はそのブロック構成図である。
図１において、１０は実施の形態１の携帯端末を用いた楽曲配信システム、１１はスタンプラリーのポイント地点や各鉄道の駅舎、その改札口などの情報拠点Ａ〜Ｆ毎に配置されそれぞれの情報拠点に対応した識別データや楽曲データの一部の情報データを保持するＩＣタグを備えた情報記録メディア、１２は情報データ読取部１３及び楽曲制御部１４などを備えた携帯電話機としての機能を有する携帯端末である。
【００３１】
携帯端末１２は、情報記録メディア１１に記憶された情報データを非接触的に読み取るための情報データ読取部１３と、編集プログラムに基づいて複数の楽曲データを結合してその完成されたデータを例えば着信メロディとして設定するための楽曲制御部１４と、通信通話機能を制御するための通信制御部１５とを備えた携帯電話機である。こうして、携帯端末１２の楽曲制御部１４で設定された着信メロディが通信制御部１５の着信状態に応じて流されるようになっている。なお、楽曲制御部１４及び通信制御部１５は携帯端末１２を管理する主制御部１６にその機能が担われており、スタンプラリーにおける情報データの取得順序などを規定した編集プログラムなどの制御プログラムは主制御部１６のメモリ部に予めロードされている。
【００３２】
図３は携帯端末を用いた楽曲配信システム１０における楽曲設定の一例を示すフロー図である。以下、図面を参照しながら説明する。
最初のステップＳ１ではデータ読み取り処理がなされる。すなわち、スタンプラリーなどの参加者が、その保持する携帯端末１２を所定のポイント地点Ａに配置されたＩＣタグなどの情報記録メディア１１にかざすことによって、そのＩＣタグリーダとしての機能を備えた情報データ読取部１３でそのポイント地点Ａの識別コード、ポイント地点毎に分割された楽曲データなどを読み取る。
【００３３】
ステップＳ２では、これらの読み取られた情報データが、その取得時刻などのデータとともに楽曲制御部１４のメモリ部に履歴データとして記憶される。
【００３４】
ステップＳ３では、この記憶された履歴データをもとにして、所定の履歴データ判定規則、例えばポイント地点がＡ→Ｂ→Ｃ・・・などとなるような取得順序に合致するか否かが判定される。合致する場合に次のステップＳ４へ移行し、合致しない場合はリターンされる。
【００３５】
ステップＳ４では、ポイント地点で取得された楽曲データの一部を楽曲制御部１４のメモリ部に保持させるデータ追記処理がなされる。
【００３６】
ステップＳ５では、ポイント地点毎に集積した楽曲データが最終的に完備したか否かが判定される。こうして、合致する場合に次のステップＳ６へ移行し、合致しない場合はリターンされる。
【００３７】
最後のステップＳ６では、完備した楽曲データを着信メロディとして登録する。これによって、携帯端末１２の通信制御部１５がその着信を検知したときなどに登録された所定の着信メロディで携帯端末１２を鳴動させることができる。
【００３８】
こうして、非接触で受信可能なＩＣタグを有する情報記録メディア１１からそのＩＤデータが送信され、そのＩＤデータを携帯端末１２が受信すると、その情報記録メディア１１でそのＩＤデータの履歴(ダウンロード履歴)があるかどうかを判定し、その判定結果で「なし」と判定された場合には、前記初めのデータを端末装置に送信するとともに、履歴データを更新記憶する。
【００３９】
そして、判定結果が履歴ありと判定された場合には、前の履歴データを参照して、先にダウンロードした楽曲データに結合するデータを送信するとともに、履歴データを更新して記憶する。このような、構成にすることによって、参加者はダウンロードするまでどの楽曲データが得られるかが判らないようにするもできる。また、予め、そのスタンプラリーの通過順序によって、得られる楽曲データの種類を公表しておくことによって、スタンプラリーに多様な面白さを提供することもできる。
【００４０】
以上説明したように、実施の形態１の携帯端末１２を用いた楽曲配信システム１０によれば、所定の情報拠点Ａ〜Ｆ毎に配置された情報記録メディア１１から情報データ読取部１３を介して情報データを読み取って、この情報データから所定の編集プログラムに基づいて複数の楽曲データを結合して着信メロディとして設定する。こうして、安価でメンテナンスフリーの情報記録メディア１１を情報拠点Ａ〜Ｆ毎に配置しておくだけでスタンプラリーなどに柔軟に適用できる楽曲配信ネットワークを容易に構築することができる。
【００４１】
（実施の形態２）
図４は実施の形態２に係る携帯端末を用いた楽曲配信システムの全体構成を示す説明図、図５はその一部ブロック構成図、図６は携帯端末を用いた楽曲配信システム２０における楽曲設定の一例を示すフロー図である。
【００４２】
図４及び図５において、２０は実施の形態２の携帯端末を用いた楽曲配信システム、２１は情報拠点Ａ〜Ｆ毎に配置され二次元コードなどが印刷されたカード状の情報記録メディア、２２はＱＲコードなどの光学読み取り機能を備えた携帯電話機などの携帯端末、２３は携帯端末機本体に設けられ情報記録メディア２１に印刷された情報データを読み取るためのＣＣＤカメラなどの撮像部を有した情報データ読取部、２４は携帯端末本体に設けられ情報データ読取部２３から取得される情報データに基づいてインターネット２５上のサーバサイトに接続するための通信制御部、２６はインターネット２５を介して受信される情報データ及びそのアクセス履歴に基づいてそのインターネット接続された携帯端末２２に所定の楽曲データをダウンロードさせるためのサーバコンピュータである。
【００４３】
情報記録メディア２１は例えば二次元コードが印刷されたカード状である。二次元コードは、従来のバーコードが一方向だけに情報を持っているのに対し、縦、横二方向に情報を持たせることで、記録できる情報量を飛躍的に増加させたものである。記録されるデータには冗長性を持たせてあり、一部が汚損してもデータを復元することができる。このような二次元コードは、その読み取り機能が搭載された携帯端末を用いてインターネットサイトのＵＲＬなどのデータを取り込むことができる。
【００４４】
携帯端末２２の情報データ読取部２３は、情報記録メディア２１に印刷された情報データを光学的に読み取るためのＣＣＤカメラを撮像として備えており、情報記録メディア２１を撮影することでその情報データを簡単に取得できる。
携帯端末２２における通信制御部２４は、通常の通話通信機能の他にデータ処理機能を備えており、インターネット２５に接続されたサーバコンピュータ２６を介して、特定の楽曲データをダウンロードできるようになっている。このダウンロードされた楽曲データを着信メロディとして、この設定された着信メロディを通信制御部２４の着信状態に応じて流すことができる。なお、情報データの取得順序を規定した編集プログラムなどの制御プログラムはサーバコンピュータ２６のメモリ部分に予めロードされている。
【００４５】
以下、楽曲データをダウンロードする方法の一例を示す図６のフロー図を参照しながら楽曲配信システム２０について説明する。
最初のステップＳ１０ではデータ読み取り処理がなされる。すなわち、スタンプラリーなどの参加者が、その保持する携帯端末２２のカメラ機能を用いて所定のポイント地点Ａに配置された情報記録メディア２１を撮影することによって、サーバコンピュータ２６のＵＲＬや、そのポイント地点毎の識別コードなどを読み取ることができる。なお、情報記録メディア２１に印刷されたＵＲＬや識別コードは所定の暗号化規則に従って暗号化されたものを用い、携帯端末２２の通信制御部２４に予めロードされた復号化プログラムによって解読されたものだけが適用できるようにすることでセキュリティを確保するようにしてもよい。
【００４６】
ステップＳ１１では、これらの読み取られたサーバコンピュータ２６のＵＲＬをもとに、インターネット２５を介してサーバコンピュータ２６にアクセスする。これによって、そのアクセス時刻やポイント地点の識別コードなどの履歴データがサーバコンピュータ２６や携帯端末２２のメモリ部のデータベースに記憶されるようになっている。
【００４７】
ステップＳ１２では、このデータベースに記憶された履歴データをもとにして、所定の履歴データ判定規則、例えばポイント地点がＦ→Ｅ→Ｄ・・→Ａなどとなるようなアクセス順に合致するか否かがサーバコンピュータ２６を介して判定される。こうして、アクセス順序が合致する場合には次のステップＳ１３へ移行して、合致しない場合はステップＳ１４に移行される。
【００４８】
ステップＳ１３では、サーバコンピュータ２６が携帯端末２２の履歴データに対応して選定される楽曲データをダウンロード可能な状態に保持させる処理がなされた後、リターンされる。これによって、ユーザは携帯端末２２を用いて、いつでも必要なときにサーバコンピュータ２６から所定の楽曲データをダウンロードして、楽しむことができる。なお、ダウンロードされた楽曲データをユーザが着信メロディとして登録しておき、携帯端末２２の通信制御部２４がその着信を検知したときに、この着信メロディを鳴らすことができる。
【００４９】
履歴データによるポイント地点の取得順が完備していないと判定された場合のステップＳ１４では、スタンプラリーが未達成の状態であることを示すメールやエラーメッセージなどがサーバコンピュータ２６から携帯端末２２に送信するヘルプ送信処理がなされた後、リターンされる。
【００５０】
実施の形態２の携帯端末２２を用いた楽曲配信システム２０は、情報拠点〜Ｆ毎に配置されてそれぞれの情報拠点に対応した情報データを保持する情報記録メディア２１と、携帯端末２２に設けられ情報記録メディア２１に記憶された情報データを非接触的に読み取るための情報データ読取部２３と、携帯端末２２に設けられ取得される情報データに基づいてインターネット２５上のサーバサイトに接続するための通信制御部２４と、インターネット２５を介して受信される情報データ及びそのアクセス履歴に基づいてそのダウンロードの可否を判定して接続した携帯端末２２に所定の楽曲データをダウンロードさせるサーバコンピュータ２６と、を有している。これによって、従来のように携帯型情報端末やサーバコンピュータに接続する機能を有した情報送信装置を情報拠点毎に設置しておく必要がなく、二次元コードが印刷されたカードなどの情報記録メディア２１を情報拠点に配置しておくだけで楽曲配信システム２０を容易に変更して運営できるとともに、大容量の楽曲データを保持するサーバコンピュータ２６を介して携帯端末２２に随時所定の楽曲データをダウンロードして楽しむことができる。
【００５１】
以上、本発明の実施の形態について説明したが、本発明はこれら実施の形態のものに限定されるものではない。すなわち、本発明は複数の情報拠点毎に配置された情報記録メディアから携帯電話機などの携帯端末を介して非接触的に情報データを読み取って、この情報データから所定の編集プログラムなどに基づいて楽曲データを完成して、これを着信メロディなどとして設定することを要旨とするものであって、これに該当するものは本発明に属する。例えば、本実施の形態では、情報記録メディアとしてＩＣタグや二次元コードなどのものを適用したが、情報記録メディアとして特定周波数の音波や音声を発信するスピーカを用いるとともに携帯端末のマイク部分を情報データ読取部として、既存の携帯電話機のインターフェイス部分を利用して本発明の携帯端末を用いた楽曲配信システムを構築することも可能である。
【図面の簡単な説明】
【００５２】
【図１】実施の形態１に係る楽曲配信システムの説明図である。
【図２】同楽曲配信システムのブロック構成図である。
【図３】楽曲設定方法の一例を示すフロー図である。
【図４】実施の形態２に係る楽曲配信システムの説明図である。
【図５】同楽曲配信システムのブロック構成図である。
【図６】楽曲設定方法の一例を示すフロー図である。
【図７】従来例における情報配信システムの説明図である。
【符号の説明】
【００５３】
１０  楽曲配信システム
１１  情報記録メディア
１２  携帯端末（携帯電話機）
１３  情報データ読取部
１４  楽曲制御部
１５  通信制御部
１６  主制御部
２０  楽曲配信システム
２１  情報記録メディア
２２  携帯端末（携帯電話機）
２３  情報データ読取部
２４  通信制御部
２５  インターネット
２６  サーバコンピュータ
【図１】
2007025024.tif 000003
【図２】
2007025024.tif 000004
【図３】
2007025024.tif 000005
【図４】
2007025024.tif 000006
【図５】
2007025024.tif 000007
【図６】
2007025024.tif 000008
【図７】
2007025024.tif 000009